(57)【要約】【課題】  大きな開口部を確保することができ、注湯し易く、カップ壁面に載置固定する際の安定性が得られ、縦長形状や大型にも適したドリッパーを提供することである。【解決手段】  両側縁に折曲部を備えた平面視略矩形状の筒状紙体と濾過機能を有する袋体とからなり、前記筒状紙体に前記袋体を挿入して前記袋体の開口縁の略中央対向部を前記筒状紙体の一方の開口縁の略中央部に貼着したドリッパーにおいて、前記筒状紙体の前記両折曲部の前記一方の開口縁部および略中央部の対向する位置に前記折曲部を内側に折込むことで拡開する第１拡開折込部および第２拡開折込部を備えると共に、前記筒状紙体の他方の開口縁の中央の対向する位置に一対の中央係合突片と前記筒状紙体の他方の開口縁の前記両側縁に側縁係合突片とを備えていることを特徴とするドリッパー。【選択図】        図１
2005296213.tif 000002
【特許請求の範囲】
【請求項１】
両側縁に折曲部を備えた平面視略矩形状の筒状紙体と濾過機能を有する袋体とからなり、前記筒状紙体に前記袋体を挿入して前記袋体の開口縁の略中央対向部を前記筒状紙体の一方の開口縁の略中央部に貼着したドリッパーにおいて、前記筒状紙体の前記両折曲部の前記一方の開口縁部および略中央部の対向する位置に前記折曲部を内側に折込むことで拡開する第１拡開折込部および第２拡開折込部を備えると共に、前記筒状紙体の他方の開口縁の中央の対向する位置に一対の中央係合突片と前記筒状紙体の他方の開口縁の前記両側縁に側縁係合突片とを備えていることを特徴とするドリッパー。
【請求項２】
前記第１拡開折込部と前記第２拡開折込部は内側に折込むことで前記折曲部と平行な方向において互いに接近するように拡開することを特徴とする請求項１記載のドリッパー。
【請求項３】
前記他方の開口縁から前記一対の中央係合突片をそれぞれ略２等分して前記一方の開口縁側へ延びる一対の第１切線と該一対の第１切線の前記一方の開口縁側のそれぞれの終端から前記両側縁へ前記第１切線に対して対称に延びる一対の第２切線とが形成されていることを特徴とする請求項１、２のいずれかに記載のドリッパー。
【請求項４】
前記第１切線と前記第２切線とがＴ字状となるように形成されていることを特徴とする請求項３記載のドリッパー。
【請求項５】
請求項１〜４のいずれかに記載のドリッパーにおいて、前記袋体の開口部を内容物収納後に超音波溶着により剥離可能に閉じたことを特徴とするドリッパー。
【発明の詳細な説明】
【技術分野】
【０００１】
本発明は、レギュラーコーヒー粉、紅茶や緑茶の葉等の被抽出成分を有する内容物を漉すときに使用する使い捨てタイプのドリッパーおよびレギュラーコーヒー粉、紅茶や緑茶の葉等の被抽出成分を有する内容物を一体的に収納した使い捨てタイプのドリッパーに関するものである。
【背景技術】
【０００２】
従来から、レギュラーコーヒー粉、紅茶や緑茶の葉等の被抽出成分を有する内容物を濾過して所望の飲料を得るためのドリッパーが知られている（たとえば、特許文献１参照）。
【０００３】
特許文献１記載のドリッパーは、その帯方向に偏平な環状帯紙に濾過機能を有する袋体を挿入し、該袋体の開口縁の一部中程対向部のみを環状帯紙の帯方向中程に貼着したものであって、環状帯紙の両折曲側縁中程に設けた拡開片を内側に折返すことにより筒状に保形され、これにより袋体の開口部が一定の大きさの開口に維持されるように構成されている（たとえば、特許文献１の第２図参照）。
【０００４】
この特許文献１記載のドリッパーは、環状帯紙の両折曲側縁中程に設けた拡開片を環状帯紙の内側に折返すだけで折畳まれた環状帯紙が筒状に保形され、これにより袋体の開口部が開口した状態に維持されるというドリッパーの保形手段としては極めて優れた効果を奏するものであるが、大きな開口部を得ることは難しく、特に縦長形状やレギュラーコーヒー粉等の被抽出成分を有する内容物の増量、たとえば、２〜３人分用の内容物を収納した大型のドリッパーに対して、注湯を容易ならしめる程度の大きさの袋体の開口が得られない虞がある。
【０００５】
本出願人は上記問題を解決すべく、先に、より安定した開口が得られ、縦長形状やレギュラーコーヒー粉等の被抽出成分を有する内容物の増量、たとえば、２〜３人分用の内容物を収納した大型に対応可能なドリッパーを提案した（特許文献２参照）。
【０００６】
この特許文献２記載のドリッパーは、筒状紙体の両折曲部の対向する位置に前記折曲部を内側に折込むことで前記折曲部と平行方向において互いに離れる方向に拡開する拡開折込部をそれぞれ２箇所設けた構成としたものであり、縦長形状や大型のドリッパーに対しても筒状紙体をほぼ一定の大きさの横断面を有する筒状に確実に保形することができると共に袋体の開口部を一定の大きさに維持することができ、注湯を容易に行なうことができるという優れた効果が得られたが、ドリッパーが縦長や大型であることから、使い勝手、具体的にはカップ壁面に載置固定した際の安定性および注湯性においては未だ不満が残るものであった。
【特許文献１】実公平５−１３３２４号公報
【特許文献２】特願２００２−３５３０４４号
【発明の開示】
【発明が解決しようとする課題】
【０００７】
そこで本発明は、大きな開口部を確保することができ、注湯し易く、カップ壁面に載置固定する際の安定性が得られ、縦長形状や大型にも適したドリッパーを提供することである。
【課題を解決するための手段】
【０００８】
本発明者は、上記課題を達成するために、請求項１記載の本発明は、両側縁に折曲部を備えた平面視略矩形状の筒状紙体と濾過機能を有する袋体とからなり、前記筒状紙体に前記袋体を挿入して前記袋体の開口縁の略中央対向部を前記筒状紙体の一方の開口縁の略中央部に貼着したドリッパーにおいて、前記筒状紙体の前記両折曲部の前記一方の開口縁部および略中央部の対向する位置に前記折曲部を内側に折込むことで拡開する第１拡開折込部および第２拡開折込部を備えると共に、前記筒状紙体の他方の開口縁の中央の対向する位置に一対の中央係合突片と前記筒状紙体の他方の開口縁の前記両側縁に側縁係合突片とを備えていることを特徴とするものである。
【０００９】
また、請求項２記載の本発明は、請求項１記載のドリッパーにおいて、前記第１拡開折込部と前記第２拡開折込部は内側に折込むことで前記折曲部と平行な方向において互いに接近するように拡開することを特徴とするものである。
【００１０】
請求項１、２のいずれかに記載の構成とすることにより、前記第１拡開折込部を内側に折込むことで注湯し易い大きな開口部を得ることができると共に、前記第２拡開折込部を内側に折込むことで筒状に保形することができ、前記筒状紙体の他方の開口縁についても大きく開口させることができるために、カップ壁面により安定した状態で載置固定させることができる。
【００１１】
また、請求項３記載の本発明は、請求項１、２のいずれかに記載のドリッパーにおいて、前記他方の開口縁から前記一対の中央係合突片をそれぞれ略２等分して前記一方の開口縁側へ延びる一対の第１切線と該一対の第１切線の前記一方の開口縁側のそれぞれの終端から前記両側縁へ前記第１切線に対して対称に延びる一対の第２切線とが形成されていることを特徴とするものである。
【００１２】
また、請求項４記載の本発明は、請求項３記載のドリッパーにおいて、前記第１切線と前記第２切線とがＴ字状となるように形成されていることを特徴とするものである。
【００１３】
請求項３、４のいずれかに記載の構成とすることにより、前記第１切線で分割された前記中央係合突片をそれぞれ側縁係合突片側に拡開すると共に前記中央係合突片がカップ壁面の外側に、前記側縁係合突片がカップ壁面の内側に位置するようにしてカップ壁面上に載置するために一層安定した状態でドリッパーを載置固定することができる。
【００１４】
また、請求項５記載の本発明は、請求項１〜４のいずれかに記載のドリッパーにおいて、前記袋体の開口部を内容物収納後に超音波溶着により剥離可能に閉じたことを特徴とするものである。このような構成とすることにより、筒状紙体の外側から筒状紙体を介して袋体の開口部を容易に剥離可能に閉じることができる。
【発明の効果】
【００１５】
本発明のドリッパーは、筒状紙体の両折曲部の一方の開口縁部の対向する位置に前記折曲部を内側に折込むことで拡開する第１拡開折込部を設けたことにより、大きな開口部を得ることができるために極めて注湯し易いという効果、および、筒状紙体の両折曲部の略中央部の対向する位置に前記折曲部を内側に折込むことで拡開する第２拡開折込部を設けたことにより、筒状に保形することができ、筒状紙体の他方の開口縁についても大きく開口させることができるために、カップ壁面により安定した状態で載置固定させることができるという効果を奏するものである。
また、本発明のドリッパーは、一対の中央係合突片に他方の開口縁から前記一対の中央係合突片をそれぞれ略２等分して一方の開口縁側へ延びる一対の第１切線と該一対の第１切線の前記一方の開口縁側のそれぞれの終端から前記両側縁へ前記第１切線に対して対称に延びる一対の第２切線とからなるＴ字状切線を設けたことにより、前記Ｔ字状切線で分割された部分をそれぞれ側縁係合突片側に拡開すると共に拡開された前記中央係合突片がカップ壁面の外側に、前記側縁係合突片がカップ壁面の内側に位置するようにしてカップ壁面上に載置するために一層安定した状態でドリッパーを載置固定することができるという効果を奏するものである。
【発明を実施するための最良の形態】
【００１６】
上記の本発明について、図面等を用いて以下に詳述する。
図１は本発明にかかるドリッパーの第１実施形態を示す要部透視正面図、図２は図１に示すドリッパーに用いる筒状紙体の展開図、図３は本発明にかかるドリッパーの第２実施形態を示す要部透視正面図、図４は図１に示すドリッパーの使用方法を説明する図であり、図中の１，１’はドリッパー、２は筒状紙体、２’はブランク板、３は袋体、２０，２０’は突出フラップ、２１，２１’は中央係合突片、２２は側縁係合突片、２３，２３’はＴ字状切線、２３ａ，２３ａ’は第１切線、２３ｂ，２３ｂ’は第２切線、２４，２５，２４５，２４６，２５５，２５６は折罫、２６，２６’は弓状切欠部、３０は対向貼着部、３２は強固な接着部、３３は折部、２００は前面板、２１０は背面主板、２２０は背面補助板、２４１，２５１は略コの字状切線、２４２，２５２は切込線、２４３，２５３は略三日月状切欠部、２４４，２５４は円形状切欠部、Ａ，Ｂは第１拡開折込部、Ａ’，Ｂ’は第２拡開折込部、α，βは折曲部をそれぞれ示す。
【００１７】
図１は本発明にかかるドリッパーの第１実施形態を示す要部透視正面図であって、ドリッパー１は両側縁に折曲部α、βを備えると共に前記両側縁に対して一方の開口縁（図１上の上端縁）の中央部となる位置に対向する一対の突出フラップ２０、２０’（図２参照）を備えた平面視略矩形状の筒状紙体２に、濾過機能を有する略逆台形状の袋体３を挿入して前記袋体３の開口縁の略中央部を一部延設した一対の対向貼着部３０、３０’（図４参照）を前記一対の突出フラップ２０、２０’の上縁で外方へ折返して前記一対の突出フラップ２０、２０’の外面に貼着したものである。そして、ドリッパー１を構成する前記筒状紙体２は、前記折曲部α、βの前記一方の開口縁部および略中央部の対向する位置に前記折曲部α、βを内側に折込むことで拡開する第１拡開折込部Ａ、Ｂおよび第２拡開折込部Ａ’、Ｂ’を備え、さらに前記筒状紙体２の他方の開口縁の中央の対向する位置に一対の中央係合突片２１、２１’（図２参照）と前記他方の開口縁の両側縁に側縁係合突片２２とを備えると共に前記他方の開口縁から前記一対の中央係合突片２１、２１’をそれぞれ略２等分して前記一方の開口縁側へ延びる一対の第１切線２３ａ、２３ａ’（図２参照）と該一対の第１切線２３ａ、２３ａ’の前記一方の開口縁側のそれぞれの終端から前記両側縁へ前記第１切線２３ａ、２３ａ’に対して対称に延びる一対の第２切線２３ｂ、２３ｂ’（図２参照）とからなる一対のＴ字状切線２３、２３’（図２参照）を備えている。なお、図１においては、前記第１拡開折込部Ａと前記第２拡開折込部Ａ’および、前記第１拡開折込部Ｂと前記第２拡開折込部Ｂ’は内側に折込むことで前記折曲部α、βと平行な方向において互いに接近するように拡開する構成となっている。また、ドリッパー１を構成する前記袋体３は、その両側端縁に容易に剥がれない強固な接着部３２を有すると共に前記袋体３の前記開口部と反対側の下端部（図１上の下側部）は折部３３となっている。
【００１８】
次に、本発明のドリッパー１を構成する筒状紙体２と濾過機能を有する袋体３について説明する。まず、筒状紙体２について説明する。図２は図１に示すドリッパーに用いる筒状紙体の展開図であって、ブランク板２’は背面補助板２２０、前面板２００、背面主板２１０が折罫２４、２５を介して順次連接され、前記前面板２００および前記背面主板２１０の前記折罫２４、２５と直交する一方の端縁（図２上の上端縁、以下は上端縁と呼称する）の筒状紙体２としたときの中央部となる位置に両角をアール状とした略台形状の突出フラップ２０、２０’が設けられ、前記前面板２００および前記背面主板２１０の前記折罫２４、２５と直交する他方の端縁（図２上の下端縁、以下は下端縁と呼称する）の前記突出フラップ２０、２０’と対向する位置および筒状紙体２としたときの両側縁となる位置にそれぞれ中央係合突片２１、２１’と側縁係合突片２２とが設けられると共に前記下端縁から前記中央係合突片２１、２１’をそれぞれ略２等分して前記上端縁側へ延びる第１切線２３ａ、２３ａ’と該第１切線２３ａ、２３ａ’の前記上端縁側の終端から前記折罫２４、２５と直交する方向に前記第１切線２３ａ、２３ａ’に対して対称に延びる第２切線２３ｂ、２３ｂ’とからなるＴ字状切線２３、２３’が設けられ、さらに、前記折罫２４、２５のそれぞれ略中央部に前記折罫２４、２５に対して線対称となるように下端縁側に膨らむ略コの字状切線２４１、２５１と該切線２４１、２５１の対向する切線の延長線が交わる上端縁に切込線２４２、２４２および２５２、２５２が設けられ、そして前記切線２４１、２５１に連接して下端縁側に前記折罫２４、２５に対して線対称となるように略三日月状切欠部２４３、２５３と前記切線２４１、２５１と上端縁との略中間位置に前記折罫２４、２５に対して線対称となるように円形状切欠部２４４、２５４が設けられ、さらにまた、前記切線２４１、２５１のそれぞれの両端部から前記切欠部２４４および２５４に前記折罫２４、２５に対して線対称にそれぞれ延びる折罫２４５、２４５および２５５、２５５と前記切線２４２、２４２および２５２、２５２の先端から前記切欠部２４４および２５４に前記折罫２４、２５に対して線対称にそれぞれ延びる折罫２４６、２４６および２５６、２５６が設けられている。なお、図示はしないが、前記Ｔ字状切線２３、２３’の前記第１切線２３ａ、２３ａ’に部分的に繋ぎ部（刃止め部）を設けておくことにより、たとえば、袋体３をブランク板２’に装着する際等において前記中央係合突片２１、２１’が前記第１切線２３ａ、２３ａ’で離れることがないために、これに起因する生産トラブルを防止することができる。前記ブランク板２’は、周知の打抜機を用いて容易に製造することができるものである。
【００１９】
なお、図１に示す第１拡開折込部Ａは、図２に示す上端縁、切込線２４２、折罫２４６、円形状切欠部２４４およびこれらに囲まれた領域の折罫２４で構成され、第１拡開折込部Ｂは、図２に示す上端縁、切込線２５２、折罫２５６、円形状切欠部２５４およびこれらに囲まれた領域の折罫２５で構成され、第２拡開折込部Ａ’は、図２に示す略コの字状切線２４１、折罫２４５、円形状切欠部２４４およびこれらに囲まれた領域の折罫２４で構成され、第２拡開折込部Ｂ’は、図２に示す略コの字状切線２５１、折罫２５５、円形状切欠部２５４およびこれらに囲まれた領域の折罫２５で構成される。
【００２０】
上記のように構成されたブランク板２’は、まず前記前面板２００上に前記背面主板２１０を前記折罫２５で折って折り重ね、次いで折り重ねた前記背面主板２１０上に前記背面補助板２２０を前記折罫２４で折って折り重ね、前記背面主板２１０と前記背面補助板２２０との重ね部を接着剤で接着することにより筒状紙体２を得ることができる。前記ブランク板２’を形成する材料としては、たとえば、２００〜３４０ｇ／ｍ2の耐水カード紙、アイボリー紙などの厚紙が適当である。また、必要に応じて、前記した厚紙の片面（袋体３と当接する面）ないし両面にポリエチレン等の樹脂を塗布したものを用いてもよいものである。ポリエチレン等の樹脂を塗布した厚紙は熱湯や湯気がかかった際にも、筒状紙体２の剛性の低下を防止することができる。
【００２１】
次に、本発明のドリッパー１を構成する濾過機能を有する袋体３について説明する。前記袋体３としては、濾過機能を有する素材であれば特に限定するものではないが、袋体とする際の加工性を考慮すると素材自体が熱接着性を有するもの、あるいは、最内層が熱接着性を有するものが好ましく、たとえば、ポリエチレンやポリプロピレン等のポリオレフィン系ないしポリエステル系等の透水性を有する不織布、あるいは、最内層にポリエチレンやポリプロピレン等のポリオレフィン系ないしポリエステル系等の熱可塑性樹脂を含有している層を有する２ないし３層構成からなる濾紙などを挙げることができる。
【００２２】
前記袋体３の製造方法としては、熱接着性を有する長尺シート、たとえば、最内層に変性ポリオレフィンを含有している３層構成からなる濾紙を、長尺方向に平行に２つ折りして折部３３（図１参照）を形成するなり、あるいは、前記折部３３（図１参照）Ｗ折り（ガセット折り）するなりして重ね合わせ、所定形状に熱接着（図１上、符号３２で示す接着部）し、その後に裁断、および／ないし、型抜き（図１上、折部３３が幅狭となると共に前記折部３３の反対側の略中央部に一部延設した一対の対向貼着部３０、３０’を備えた略台形状に型抜き）することにより製造することができる。
【００２３】
前記筒状紙体２と前記袋体３との組付けは、たとえば、前記筒状紙体２に前記袋体３を挿入して前記袋体３に設けた前記一対の対向貼着部３０、３０’（図３参照）を前記筒状紙体２に設けた前記一対の突出フラップ２０、２０’（図３参照）の上縁で外方へ折返して前記一対の突出フラップ２０、２０’の外面に貼着することにより完了する
【００２４】
なお、前記ブランク板２’から前記筒状紙体２とするために、前記背面主板２１０と前記背面補助板２２０との重ね部を接着する接着剤、あるいは、前記筒状紙体２と前記袋体３とを接着する接着剤は、ホットメルト型、溶剤型、水性型、反応型、感圧型等の接着剤から適宜選択してもちいればよいものである。
【００２５】
図３は本発明にかかるドリッパーの第２実施形態を示す要部透視正面図であって、ドリッパー１’は図１の前記第２切線２３ｂ、２３ｂ’に連接して上端縁側に弓状の切欠部２６、２６’（図示せず）を設けたものであり、これ以外はドリッパー１と同じである。このように構成することにより、ドリッパー１’をカップ壁面に載置固定して袋体３内のレギュラーコーヒー粉等の被抽出成分を有する内容物に注湯してドリップする際に、前記切欠部２６、２６’からカップ内の抽出液量を容易に確認することができ、ドリップ時の使い勝手を向上させることができる。
【００２６】
次に、本発明のドリッパーの使用方法を第１実施形態のドリッパー１を用いて使用方法を示す図４により説明する。まず、ドリッパー１の第１拡開折込部Ａ、Ｂおよび第２拡開折込部Ａ’、Ｂ’を内側に折込んで筒状紙体２の上端部を大きく開口して横断面凸レンズ状の開口部を設けると共に筒状紙体２の胴部を横断面凸レンズ状の筒状に保形し、たとえば、別容器等に収納されているレギュラーコーヒー等の被抽出成分を有する内容物（図示せず）をスプーン等で前記開口部から袋体３内に投入し、その後に筒状紙体２の下端縁側のＴ字状切線２３、２３’で分割された部分を、それぞれ側縁係合突片２２側に拡開すると共に拡開された前記中央係合突片２１、２１’がカップ壁面の外側に、前記側縁係合突片２２がカップ壁面の内側に位置するようにしてカップ壁面上に載置固定し、袋体３の開口から所定量の熱湯を注湯することによりカップ内に所望の飲料を得ることができる。このように、縦長形状や大型のドリッパーに対しても、第１拡開折込部Ａ、Ｂを設けた効果により、大きな開口部を確保することができ、注湯を極めて容易に行なうことができ、第２拡開折込部Ａ’、Ｂ’を設けたことにより胴部においても安定した大きさの筒状に保形することができ、下端縁に設けた前記中央係合突片２１、２１’と前記側縁係合突片２２、および、前記中央係合突片２１、２１’をそれぞれ略２等分して設けられた前記Ｔ字状切線２３、２３’により、前記Ｔ字状切線２３、２３’で囲まれた部分を拡開してカップ壁面上に載置するために、一層安定した状態でドリッパーをカップ壁面に載置固定することができる。
【００２７】
なお、今まで示した実施例においては、前記袋体３の前記一対の対向貼着部３０、３０’を前記一対の突出フラップ２０、２０’の上縁で外方へ折返して前記一対の突出フラップ２０、２０’の外面に貼着したものを示したが、図示はしないが前記袋体３の前記一対の対向貼着部３０、３０’の突出長さを短くして前記一対の突出フラップ２０、２０’の内面に貼着してもよいものである。いずれの場合においても、前記筒状紙体２に前記袋体３を貼着する箇所は前記突出フラップ２０、２０’とすることが望ましく、これにより使用時に前記筒状紙体２を筒状に起立させた際に、前記袋体３の両側が持ち上がり、前記袋体３の大きく確実な開口が保証され、注湯やドリップに適したドリッパーとすることができる。また、前記突出フラップ２０、２０’は、必ずしも同一形状である必要はなく、突出幅や突出高さを変えたり、あるいは、同一形状であっても多少設ける位置をずらせることにより、使用時に手指で摘み易いように構成してもよいものである。
【図面の簡単な説明】
【００２８】
【図１】本発明にかかるドリッパーの第１実施形態を示す要部透視正面図である。
【図２】図１に示すドリッパーに用いる筒状紙体の展開図である。
【図３】本発明にかかるドリッパーの第２実施形態を示す要部透視正面図である。
【図４】図１に示すドリッパーの使用方法を説明する図である。
【符号の説明】
【００２９】
１，１’                              ドリッパー
２                                    筒状紙体
２’                                  ブランク板
３                                    袋体
２０，２０’                          突出フラップ
２１，２１’                          中央係合突片
２２                                  側縁係合突片
２３，２３’                          Ｔ字状切線
２３ａ，２３ａ’                      第１切線
２３ｂ，２３ｂ’                      第２切線
２４，２５，２４５，２４６            折罫
２５５，２５６                        折罫
２６，２６’                          弓状切欠部
３０                                  対向貼着部
３２                                  強固な接着部
３３                                  折部
２００                                前面板
２１０                                背面主板
２２０                                背面補助板
２４１，２５１                        略コの字状切線
２４２，２５２                        切込線
２４３，２５３                        略三日月状切欠部
２４４，２５４                        円形状切欠部
Ａ，Ｂ                                第１拡開折込部
Ａ’，Ｂ’                            第２拡開折込部
α，β                                折曲部
【図１】
2005296213.tif 000003
【図２】
2005296213.tif 000004
【図３】
2005296213.tif 000005
【図４】
2005296213.tif 000006